(57)【特許請求の範囲】
【請求項１】
線速度一定制御でディスクに記録されている信号を角速度一定制御で再生することが可能なディスク再生装置において、
前記ディスクから角速度一定制御で信号を再生する再生手段と、
第１クロック信号の供給を受けて、前記再生手段から得られる信号に対し該第１クロック信号の周波数に応じた周波数でサンプリング処理を施してデジタルデータを生成するデジタルデータ生成手段と、
再生信号のクロック成分の周波数に応じた周波数を有する仮想の第２クロック信号の周波数／周期情報の供給を受けて、前記デジタルデータ生成手段から得られるデジタルデータに対し該周波数／周期情報に応じた周波数で補間処理を施して補間データを生成する補間手段と、
前記補間手段から得られる補間データに応じた周波数／周期情報を前記補間手段に供給する周波数／周期制御手段と、
第１クロック信号を前記デジタルデータ生成手段に供給するクロック供給手段と、
前記周波数／周期制御手段から得られる周波数／周期情報に基づいて、第１クロック信号の周期に対する第２クロック信号の周期の比率、或いは第２クロック信号の周期に対する第１クロック信号の周期の比率を算出する比率算出手段
とを具え、前記クロック供給手段は、前記比率算出手段によって算出される比率が一定値となるよう第１クロック信号の周波数を制御して前記デジタルデータ生成手段に供給することを特徴とするディスク再生装置。
【請求項２】
前記周波数／周期情報は、第１クロック信号の周期を固定値で表わし、該固定値を基準として第２クロック信号の周期を表わしたものであり、前記比率算出手段は、前記周波数／周期情報を前記固定値で除算することによって第１クロック信号の周期に対する第２クロック信号の周期の比率を算出する請求項１に記載のディスク再生装置。
【請求項３】
線速度一定制御でディスクに記録されている信号を角速度一定制御で再生することが可能なディスク再生装置において、
前記ディスクから角速度一定制御で信号を再生する再生手段と、
第１クロック信号の供給を受けて、前記再生手段から得られる信号に対し該第１クロック信号の周波数に応じた周波数でサンプリング処理を施してデジタルデータを生成するデジタルデータ生成手段と、
再生信号のクロック成分の周波数に応じた周波数を有する仮想の第２クロック信号の周波数／周期情報の供給を受けて、前記デジタルデータ生成手段から得られるデジタルデータに対し該周波数／周期情報に応じた周波数で補間処理を施して補間データを生成する補間手段と、
前記補間手段から得られる補間データに応じた周波数／周期情報を前記補間手段に供給する周波数／周期制御手段と、
第１クロック信号を前記デジタルデータ生成手段に供給するクロック供給手段
とを具え、前記周波数／周期情報は、第１クロック信号の周波数或いは周期を固定値で表わし、該固定値を基準として第２クロック信号の周波数或いは周期を表わしたものであり、
前記クロック供給手段は、前記周波数／周期制御手段から得られる周波数／周期情報が一定値となるよう第１クロック信号の周波数を制御して前記デジタルデータ生成手段に供給することを特徴とするディスク再生装置。
【発明の詳細な説明】
【技術分野】
【０００１】
本発明は、線速度一定制御でディスクに記録されている信号を角速度一定制御で再生することが可能なディスク再生装置に関し、特に、デジタルＰＬＬ(Phase  Locked  Loop)回路を具えたディスク再生装置に関するものである。
【背景技術】
【０００２】
従来、光ディスク等の記録媒体に記録されたピット情報を読み出すための再生信号処理方法として、所謂ビットバイビット判定による再生信号処理方法が知られている。該再生信号処理方法においては、ディスクから再生された信号を二値化して二値化信号が生成され、ＰＬＬ回路によって二値化信号の立上がり及び立下がりのエッジに位相が同期した再生クロックが生成され、二値化信号の位相を再生クロックに一致させて再生クロックに同期した再生データが生成される。
【０００３】
又、近年、ＤＶＤ(Digital  Versatile  Disc)、ＨＤ−ＤＶＤ(High  Definition  Digital  Versatile  Disc)等のディスクには、ディスクの大容量化を図るべく高密度で信号が記録されており、この様に高密度で記録されている信号の再生信号処理方法としてＰＲＭＬ(Partial  Response  Maximum  Likelihood)信号処理方法が知られている。ＰＲＭＬ信号処理方法においては、ディスクから再生された信号がＡ／Ｄ変換器によって多値のデジタルデータに変換され、Ａ／Ｄ変換後のデジタルデータが適応フィルタによってビタビ復号される。
【０００４】
上記ＰＲＭＬ信号処理方法が採用されているディスク再生装置として、Ａ／Ｄ変換器にサンプリングクロックを供給するＶＣＯ(Voltage  Controlled  Oscillator)を具えたディスク再生装置が知られている(例えば、特許文献１参照)。この種のディスク再生装置においては、Ａ／Ｄ変換器によってサンプリングされたデータの中からゼロクロスすべきゼロクロスデータが抽出され、抽出されたゼロクロスデータから再生信号のクロック成分との位相誤差が算出された後、算出された位相誤差が積分され、その積分結果に基づいてＶＣＯの発振周波数が制御される。
しかしながら、この種のディスク再生装置においては、ＶＣＯの出力にばらつきが発生する問題、ＶＣＯのキャリブレーションが必要である問題、及び集積回路としたときに外付けの部品が多くなる問題があった。
【０００５】
そこで、デジタルＰＬＬ回路を具えたディスク再生装置が知られている(例えば、特許文献２参照)。
図１６は、この種のディスク再生装置の構成を表わしており、該ディスク再生装置においては、ディスク(１)に記録されている信号は光ピックアップ(２)によって再生され、該再生信号はＡ／Ｄ変換回路(３)に供給される。Ａ／Ｄ変換回路(３)には、外部から一定周波数の固定クロックが供給され、該固定クロックの周波数で前記再生信号がサンプリングされて多値のデジタルデータＤ１に変換される。該デジタルデータは、補間回路(40)に供給されて、外部から供給される仮想クロック周期情報ＰＨ２に応じた周期で後述の補間処理が施される。補間処理によって得られた補間データＤ２は、仮想クロック周期制御回路(５)のゼロクロス抽出回路(51)に供給され、該補間データの中からゼロクロスすべきゼロクロスデータが再生信号のクロック成分との位相誤差情報Δφとして抽出される。抽出された位相誤差情報Δφは積分回路(52)に供給されて積分され、その積分結果がデジタルオシレータ(53)に供給される。該デジタルオシレータ(53)は、演算処理上の仮想クロックの周期を管理するものであって、仮想クロックの位相及び周波数が再生信号のクロック成分(チャネルクロック)の位相及び周波数と一致するよう、前記積分結果に応じて仮想クロックの周期を制御する。仮想クロックの周期情報ＰＨ２は、前記補間回路(40)に供給されて補間処理に供される。この様にして、補間回路(40)と仮想クロック周期制御回路(５)とからデジタルＰＬＬ回路が形成される。
上記の補間回路(40)、ゼロクロス抽出回路(51)、積分回路(52)及びデジタルオシレータ(53)には、外部から前記固定クロックが供給され、該固定クロックに基づいて上記動作が実行される。
【０００６】
上記のＡ／Ｄ変換回路(３)、補間回路(40)及び仮想クロック周期制御回路(５)の動作について、図２０及び図２１を用いて具体的に説明する。
図２０は、上記Ａ／Ｄ変換回路(３)から得られるサンプリングデータと、補間回路(40)から得られる補間データを表わしている。尚、図中の六角形のプロットはサンプリングデータＤ１(ｎ)であり、丸のプロットは補間データＤ２(ｎ)である。又、Ｔ１は前記固定クロックの周期、即ちＡ／Ｄ変換回路(３)のサンプリング周期であり、Ｔ２は前記仮想クロックの周期である。
【０００７】
Ａ／Ｄ変換回路(３)では、図示の如く周期Ｔ１でサンプリングデータＤ１(ｎ)が得られ、該サンプリングデータが補間回路(40)に供給される。
補間回路(40)では、周期Ｔ２で隣接する２つのサンプリングデータＤ１(ｎ)、Ｄ１(ｎ＋１)から直線補間演算によって補間データＤ２(ｎ)が生成され、生成された補間データは仮想クロック周期制御回路(５)のゼロクロス抽出回路(51)に供給される。
ゼロクロス抽出回路(51)では、補間回路(40)から供給された複数の補間データの中からゼロクロスすべきゼロクロスデータＤ０(ｎ)が再生信号のクロック成分との位相誤差情報Δφとして抽出される。ここで、補間データはゼロクロス前後で極性が変化するので、極性の変化に基づいてゼロクロスデータを抽出することが出来る。
【０００８】
抽出された複数のゼロクロスデータは、積分回路(52)に供給されて積分される。例えば仮想クロックの位相が再生信号のクロック成分よりも進んでいる場合には、再生信号の立上がり部のゼロクロスデータは負の値をとり、立下がり部のゼロクロスデータは正の値をとる。この様に、再生信号の立上がり部と立下がり部とでゼロクロスデータの極性が反転するため、再生信号の立上がり部及び立下がり部の内、何れか一方のゼロクロスデータの値を反転させて、立上がり部及び立下がり部のゼロクロスデータが積分される。上述の如くゼロクロスデータを積分することによって、再生信号のクロック成分の周波数が得られる。
そして、デジタルオシレータ(53)では、積分回路(52)の積分結果に応じて仮想クロックの周期が制御される。仮想クロックの位相が再生信号のクロック成分よりも進んでいる場合には、仮想クロックの周期が大きな値に変更され、仮想クロックの位相が再生信号のクロック成分よりも遅れている場合には、仮想クロックの周期が小さな値に変更される。
【０００９】
図２１は、横軸に時間、縦軸に絶対的な位相をとって、Ａ／Ｄ変換回路(３)から得られるサンプリングデータと補間回路(40)から得られる補間データとをプロットしたものである。四角形のプロットは、Ａ／Ｄ変換回路(３)から得られるサンプリングデータであり、各プロットの内部の数字はサンプリングの時系列順序を表わしている。一方、丸のプロットは、補間回路(40)から得られる補間データであり、各プロットの内部の数字は補間の時系列順序を表わしている。
【００１０】
上述の如くデジタルオシレータ(53)から出力される仮想クロック周期情報ＰＨ２は、固定クロックの周期を所定の固定値ＰＨ１で表わして、固定クロックの周期と該固定値との関係から第２クロック信号の周期を表わしたものである。固定クロックに同期して行なわれるサンプリングの位相の現在値をＰＨ０とすると、サンプリング位相は、(ＰＨ０＋ＰＨ１)、(ＰＨ０＋２・ＰＨ１)・・・となるが、実際の補間処理においては、オーバーフローを防止するべく、図２１に示す如くサンプリング位相(ＰＨ０＋ｊ・ＰＨ１)(ｊは自然数)が仮想クロックの周期情報ＰＨ２よりも大きくなったときにサンプリング位相から該周期情報ＰＨ２がオフセット値として減算される。そして、補間演算は、直線補間演算ラインＬ１、Ｌ２・・・上で行なわれる。例えば、直線補間演算ラインＬ１上でサンプリングデータ１とサンプリングデータ２とから補間データ１が算出され、直線補間演算ラインＬ２上でサンプリングデータ２とサンプリングデータ３とから補間データ２が算出される。
【００１１】
図２０に示す如く補間データをＤ２(ｎ)、その直前のサンプリングデータをＤ１(ｎ)、その直後のサンプリングデータをＤ１(ｎ＋１)、サンプリングデータＤ１(ｎ)の位相と補間データＤ２(ｎ)の位相との位相差をａ、該補間データＤ２(ｎ)の位相とサンプリングデータＤ１(ｎ＋１)の位相との位相差をｂとすると、補間データＤ２(ｎ)は下記数１から算出される。
【００１２】
(数１)
Ｄ２(ｎ)＝{ａ・Ｄ１(ｎ＋１)＋ｂ・Ｄ１(ｎ)}／(ａ＋ｂ)
【００１３】
図１７は、上記補間回路(40)の具体的構成を表わしている。該補間回路(40)においては、Ａ／Ｄ変換回路(３)からのサンプリングデータが第１遅延素子(41)に供給され、該遅延素子(41)によって１周期だけ保持されて出力される。第１遅延素子(41)から出力されたサンプリングデータＤ１(ｎ)は第１乗算器(43)に入力される。又、第１乗算器(43)には、後述の第１位相差算出回路(42)から上記位相差ｂが入力される。第１乗算器(43)では、入力されたサンプリングデータＤ１(ｎ)と位相差ｂとが乗算され、その乗算結果ｂ・Ｄ１(ｎ)が加算器(46)に入力される。
又、Ａ／Ｄ変換回路(３)からのサンプリングデータＤ１(ｎ＋１)は、第２乗算器(45)に入力され、該第２乗算器(45)には後述の第２位相差算出回路(44)から上記位相差ａが入力される。第２乗算器(45)では、入力されたサンプリングデータＤ１(ｎ＋１)と位相差ａとが乗算され、その乗算結果ａ・Ｄ１(ｎ＋１)が前記加算器(46)に入力される。
【００１４】
加算器(46)では、上述の如く入力された２つの乗算結果の加算処理が行なわれ、その加算結果{ｂ・Ｄ１(ｎ)＋ａ・Ｄ１(ｎ＋１)}が演算器(47)に入力される。演算器(47)では、入力された加算結果に上記位相差ａ、ｂの合計値(ａ＋ｂ)の逆数が乗算され、その乗算結果Ｄ２(ｎ)は、第２遅延素子(48)に供給されて一定時間保持された後、図１６に示す仮想クロック周期制御回路(５)に供給される。
【００１５】
図１８は、上記第１位相差算出回路(42)の具体的構成を表わしており、該第１位相差算出回路(42)は、サンプリング位相の現在値ＰＨ０が格納される第１レジスタ(421)と、固定クロックの周期を表わす固定値ＰＨ１が格納されている第２レジスタ(422)と、上記デジタルオシレータ(53)からの仮想クロック周期情報ＰＨ２が格納される第３レジスタ(423)とを具えている。
第１レジスタ(421)から第１加算器(424)にサンプリング位相の現在値ＰＨ０が入力されると共に、第２レジスタ(422)から該第１加算器(424)に前記固定値ＰＨ１が入力される。第１加算器(424)では、入力された２つの値の加算処理が行なわれ、その加算結果(ＰＨ０＋ＰＨ１)は、第２加算器(425)及びセレクタ(426)に入力される。
【００１６】
又、前記第２加算器(425)には、上記第３レジスタ(423)から仮想クロック周期情報ＰＨ２が入力される。該第２加算器(425)では、上述の如く入力された加算結果から該仮想クロック周期情報ＰＨ２が減算され、その減算結果(ＰＨ０＋ＰＨ１−ＰＨ２)が前記セレクタ(426)に入力される。
セレクタ(426)では、上記加算結果(ＰＨ０＋ＰＨ１)が仮想クロック周期情報ＰＨ２よりも小さい場合には、上述の如く入力された加算結果(ＰＨ０＋ＰＨ１)及び減算結果(ＰＨ０＋ＰＨ１−ＰＨ２)の内、加算結果が選択されて出力される。この様にして出力された加算結果は、上記第１レジスタ(421)に入力されてサンプリング位相の現在値ＰＨ０が該加算結果に更新される。
これに対し、上記加算結果(ＰＨ０＋ＰＨ１)が仮想クロック周期情報ＰＨ２よりも大きい場合には、上記減算結果が選択されて出力される。この様にして出力された減算結果は、上記第１レジスタ(421)に入力されてサンプリング位相の現在値ＰＨ０が該減算結果に更新されると共に、位相差ｂとして図１７に示す第１乗算器(43)に入力される。
【００１７】
図１９は、上記第２位相差算出回路(44)の具体的構成を表わしており、該第２位相差算出回路(44)は、上記第１位相差算出回路(43)から出力される位相差ｂが格納される第１レジスタ(441)と、上記固定値ＰＨ１が格納されている第２レジスタ(442)とを具えている。
第１レジスタ(441)から加算器(443)に前記位相差ｂが入力されると共に、第２レジスタ(442)から該加算器(443)に前記固定値ＰＨ１が入力される。加算器(443)では、入力された固定値ＰＨ１から位相差ｂが減算され、その減算結果が上記位相差ａとして図１７に示す第２乗算器(45)に入力される。
【００１８】
ところで、上記補間処理を正常に行なうためには、隣接する２つの補間データの間に、少なくとも１つのサンプリングデータが存在しなければならず、固定クロックの周波数を仮想クロックの周波数と同じ或いは該周波数よりも大きな値に設定しなければならない。
線速度一定制御でディスクに記録されている信号を線速度一定制御で再生する場合には、再生信号のクロック成分の周波数はディスクの半径方向の再生位置に拘らず略一定となるため、仮想クロックの周波数は略一定となる。
そこで、上記従来のディスク再生装置においては、線速度一定制御でディスクに記録されている信号を線速度一定制御で再生する場合には、偏芯等による変動を考慮して、固定クロックの周波数は仮想クロックの周波数の１.１〜１.２倍に設定される。
【００１９】
これに対し、線速度一定制御でディスクに記録されている信号を角速度一定制御で再生する場合には、ディスク外周部の再生時に得られる再生信号のクロック成分の周波数はディスク内周部の再生時に得られる再生信号のクロック成分の周波数の２.５倍程度と高くなり、これに応じて、ディスク外周部の再生時における仮想クロックの周波数はディスク内周部の再生時に比べて高くなる。
そこで、上記従来のディスク再生装置においては、線速度一定制御でディスクに記録されている信号を角速度一定制御で再生する場合には、ディスクの全域に亘って補間処理が正常に行なわれる様に、固定クロックの周波数は、ディスク外周部の再生時における仮想クロックの周波数よりも大きな値に設定される。ディスクの外周部の再生時における仮想クロックの周波数は２５ＭＨｚ程度、ディスクの内周部の再生時における仮想クロックの周波数は１０ＭＨｚ程度であり、固定クロックの周波数は、例えば３０ＭＨｚに設定される。
【００２０】
【特許文献１】特開２０００−３１１４４２号公報[G11B 20/10]
【特許文献２】特開平１０−２７４３５号公報[G11B 20/14]
【発明の開示】
【発明が解決しようとする課題】
【００２１】
しかしながら、上記従来のディスク再生装置においては、上述の如く線速度一定制御でディスクに記録されている信号を角速度一定制御で再生する場合に、ディスク内周部の再生時には、固定クロックの周波数を仮想クロックの周波数の１.１〜１.２倍である１１〜１２ＭＨｚ程度に設定すれば正常に補間処理を行なうことが出来るにも拘らず、上述の如くディスク外周部の再生時にも正常に補間処理が行なわれる様にディスク外周部の再生時における仮想クロックの周波数の１.１〜１.２倍である３０ＭＨｚ程度に設定されるため、必要以上に高い周波数の固定クロックに同期してサンプリングが行なわれることになり、無駄な電力が消費される問題があった。
そこで本発明の目的は、線速度一定制御でディスクに記録されている信号を角速度一定制御で再生する場合に、ディスク内周部の再生時に無駄な電力が消費されることを防止することが出来るディスク再生装置を提供することである。
【課題を解決するための手段】
【００２２】
本発明に係る第１のディスク再生装置は、
ディスクに記録されている信号を再生する再生手段と、
外部から第１クロック信号が供給され、ディスクから再生された信号に対し該第１クロック信号の周波数に応じた周波数でサンプリング処理を施してデジタルデータを生成するデジタルデータ生成手段と、
外部から再生信号のクロック成分の周波数に応じた周波数を有する仮想の第２クロック信号の周波数／周期情報が供給され、前記デジタルデータ生成手段から得られるデジタルデータに対し該周波数／周期情報に応じた周波数で補間処理を施して補間データを生成する補間手段と、
前記補間手段から得られる補間データに応じた周波数／周期情報を前記補間手段に供給する周波数／周期制御手段と、
第１クロック信号を前記デジタルデータ生成手段に供給するクロック供給手段
とを具え、前記クロック供給手段は、第１クロック信号の周波数を再生信号のクロック成分の周波数に応じて変化させる。
【００２３】
上述の如く、線速度一定制御でディスクに記録されている信号を角速度一定制御で再生した場合、再生位置がディスク外周部に移動するにつれて再生信号のクロック成分の周波数は高くなり、これに応じて第２クロック信号の周波数は高くなる。
そこで、上記本発明に係る第１のディスク再生装置においては、デジタルデータ生成手段に供給される第１クロック信号の周波数を再生信号のクロック成分の周波数に応じて変化させる。この様に、第１クロック信号の周波数を再生信号のクロック成分の周波数に応じて変化させるので、再生信号のクロック成分の周波数の低いディスク内周部の再生時に必要以上に高い周波数の第１クロック信号に基づいてサンプリングが行なわれることはなく、無駄な電力が消費されることを防止することが出来る。
【００２４】
第１の具体的構成においては、前記クロック供給手段は、ディスクの中心から半径方向の再生位置までの距離を検出する距離検出手段と、検出された距離から前記デジタルデータ生成手段に供給すべき第１クロック信号の周波数を算出する周波数算出手段と、算出された周波数を有する第１クロック信号を前記デジタルデータ生成手段に供給する信号供給手段とを具えている。
【００２５】
再生信号のクロック成分の周波数は、ディスクの中心から半径方向の再生位置までの距離に比例する。そこで、上記具体的構成においては、ディスクの中心から半径方向の再生位置までの距離が検出され、検出された距離から第１クロック信号の周波数が算出される。例えば、検出された距離に所定値を乗算することによって再生信号のクロック成分の周波数が算出され、該周波数から第１クロック信号の周波数が算出される。
【００２６】
第２の具体的構成においては、ディスクに形成されているトラックは一定の周期で蛇行しており、信号再生時にディスクから得られる蛇行信号に基づいて蛇行周期を検出する周期検出手段を具え、前記クロック供給手段は、検出された蛇行周期から前記デジタルデータ生成手段に供給すべき第１クロック信号の周波数を算出する周波数算出手段と、算出された周波数を有する第１クロック信号を前記デジタルデータ生成手段に供給する信号供給手段とを具えている。
【００２７】
再生信号のクロック成分の周波数は、トラックの蛇行周波数に比例する。そこで、上記具体的構成においては、ディスクから得られる蛇行信号に基づいて蛇行周期が検出され、検出された蛇行周期から第１クロック信号の周波数が算出される。蛇行周期の検出方法としては、例えば、前記蛇行信号を所定の二値化レベルと比較して二値化信号を生成し、生成された二値化信号のパルス幅を蛇行周期として検出する方法が採用される。
【００２８】
第３の具体的構成においては、ディスクに形成されているトラックは一定の周期で蛇行しており、前記クロック供給手段は、信号再生時にディスクから得られる蛇行信号から第１クロック信号を生成する。
【００２９】
上述の如く、再生信号のクロック成分の周波数は、トラックの蛇行周波数に比例する。そこで、上記具体的構成においては、ディスクから得られる蛇行信号から第１クロック信号が生成される。
【００３０】
具体的には、前記クロック供給手段は、
前記蛇行信号を所定の二値化レベルと比較して二値化信号を生成する手段と、
生成された二値化信号の周波数を第１の分周比１／ｍ(ｍは１以上の整数)で分周する第１分周手段と、
生成された第１クロック信号の周波数を第２の分周比１／ｎ(ｎは１以上の整数、且つｎ＞ｍ)で分周する第２分周手段と、
第１分周手段から得られる第１の分周信号の位相と第２分周手段から得られる第２の分周信号の位相とを比較する比較手段と、
前記比較手段の比較結果に基づいて、蛇行信号の周波数のｎ／ｍ倍の周波数を有する第１クロック信号を生成する信号生成手段
とを具えている。
【００３１】
上記具体的構成においては、ディスクから得られる蛇行信号から、該信号の周波数のｎ／ｍ倍の周波数を有する第１クロック信号が生成される。
【００３２】
第４の具体的構成においては、ディスクから再生された信号に基づいて該再生信号のクロック成分の周期に応じた周期を検出する周期検出手段を具えており、前記クロック供給手段は、検出された周期から前記デジタルデータ生成手段に供給すべき第１クロック信号の周波数を算出する周波数算出手段と、算出された周波数を有する第１クロック信号を前記デジタルデータ生成手段に供給する信号供給手段とを具えている。
【００３３】
具体的には、前記周期検出手段は、前記再生信号を所定の二値化レベルと比較して二値化信号を生成する手段と、生成された二値化信号のパルス幅を検出するパルス幅検出手段と、検出されたパルス幅の中から最大パルス幅或いは最小パルス幅を抽出する抽出手段とを具えている。
【００３４】
ディスクに記録されている情報には、所定の変調則に従って変調が施されている。例えばＣＤの場合はＥＦＭ(Eight  to  Fourteen  Modulation)、ＤＶＤの場合は８／１６変調、ＨＤ−ＤＶＤの場合はＥＴＭ(Eight  to  Twelve  Modulation)が施されており、変調則によって最大ラン長及び最小ラン長が規定されている。又、最長及び最短のマーク及びスペースの時間幅は再生信号のクロック成分の周波数に応じて変化する。
そこで、上記具体的構成においては、再生信号から二値化信号が生成され、該二値化信号のパルス幅の中から最長パルス幅或いは最短パルス幅が抽出され、抽出された最長パルス幅或いは最短パルス幅から第１クロック信号の周波数が算出される。
【００３５】
本発明に係る第２のディスク再生装置は、
ディスクに記録されている信号を再生する再生手段と、
外部から第１クロック信号が供給され、ディスクから再生された信号に対し該第１クロック信号の周波数に応じた周波数でサンプリング処理を施してデジタルデータを生成するデジタルデータ生成手段と、
外部から再生信号のクロック成分の周波数に応じた周波数を有する仮想の第２クロック信号の周波数／周期情報が供給され、前記デジタルデータ生成手段から得られるデジタルデータに対し該周波数／周期情報に応じた周波数で補間処理を施して補間データを生成する補間手段と、
前記補間手段から得られる補間データに応じた周波数／周期情報を前記補間手段に供給する周波数／周期制御手段と、
第１クロック信号を前記デジタルデータ生成手段に供給するクロック供給手段と、
前記周波数／周期制御手段から得られる周波数／周期情報に基づいて、第１クロック信号の周期に対する第２クロック信号の周期の比率、或いは第２クロック信号の周期に対する第１クロック信号の周期の比率を算出する比率算出手段
とを具え、前記クロック供給手段は、前記比率算出手段によって算出される比率が一定値となるよう第１クロック信号の周波数を制御する。
【００３６】
上記本発明に係る第２のディスク再生装置においては、第１クロック信号の周期に対する第２クロック信号の周期の比率、或いは第２クロック信号の周期に対する第１クロック信号の周期の比率が一定値となるよう、デジタルデータ生成手段に供給される第１クロック信号の周波数が制御される。例えば、第１クロック信号の周期に対する第２クロック信号の周期の比率を１或いは１より大きな一定値となるよう制御することによって、第１クロック信号の周波数を常に第２クロック信号の周波数と同一或いは該周波数よりも高く維持することが出来る。
又、第１クロック信号の周期に対する第２クロック信号の周期の比率、或いは第２クロック信号の周期に対する第１クロック信号の周期の比率が一定値となるよう第１クロック信号の周波数が制御されるので、ディスク内周部の再生時に必要以上に高い周波数の第１クロック信号に基づいてサンプリングが行なわれることはなく、無駄な電力が消費されることを防止することが出来る。
【００３７】
本発明に係る第３のディスク再生装置は、
ディスクに記録されている信号を再生する再生手段と、
外部から第１クロック信号が供給され、ディスクから再生された信号に対し該第１クロック信号の周波数に応じた周波数でサンプリング処理を施してデジタルデータを生成するデジタルデータ生成手段と、
外部から再生信号のクロック成分の周波数に応じた周波数を有する仮想の第２クロック信号の周波数／周期情報が供給され、前記デジタルデータ生成手段から得られるデジタルデータに対し該周波数／周期情報に応じた周波数で補間処理を施して補間データを生成する補間手段と、
前記補間手段から得られる補間データに応じた周波数／周期情報を前記補間手段に供給する周波数／周期制御手段と、
第１クロック信号を前記デジタルデータ生成手段に供給するクロック供給手段
とを具え、前記周波数／周期情報は、第１クロック信号の周波数或いは周期を固定値で表わし、該固定値を基準として第２クロック信号の周波数或いは周期を表わしたものであり、前記クロック供給手段は、前記周波数／周期制御手段から得られる周波数／周期情報が一定値となるよう第１クロック信号の周波数を制御する。
【００３８】
上記本発明に係る第３のディスク再生装置においては、第２クロック信号の周波数／周期情報が一定値となるよう、デジタルデータ生成手段に供給される第１クロック信号の周波数が制御される。例えば、周波数／周期情報が第２クロック信号の周期を表わす場合には、該周波数／周期情報を第1クロック信号の周期を表わす固定値と同一或いは該固定値よりも大きな一定値となるよう制御することによって、第１クロック信号の周波数を常に第２クロック信号の周波数と同一或いは該周波数よりも高く維持することが出来る。
又、第２クロック信号の周波数／周期情報が一定値となるよう第１クロック信号の周波数を制御することによって、第２クロック信号の周波数に対する第１クロック信号の周波数の比率が一定となるので、ディスク内周部の再生時に必要以上に高い周波数の第１クロック信号に基づいてサンプリングが行なわれることはなく、無駄な電力が消費されることを防止することが出来る。
【発明の効果】
【００３９】
本発明に係る第１乃至第３のディスク再生装置によれば、線速度一定制御でディスクに記録されている信号を角速度一定制御で再生する場合に、ディスク内周部の再生時に無駄な電力が消費されることを防止することが出来る。
【発明を実施するための最良の形態】
【００４０】
以下、本発明の実施の形態につき、５つの実施例に基づいて具体的に説明する。
第１実施例
本実施例のディスク再生装置は、図１に示す如く、ディスクの半径方向の再生位置を検出する位置センサ(７)と、位置センサ(７)の出力に応じて周波数が変化する可変クロックを生成してＡ／Ｄ変換回路(３)に供給する可変発振回路(６)とを具えている。
該ディスク再生装置においては、ディスク(１)に記録されている信号は光ピックアップ(２)によって再生され、該再生信号はＡ／Ｄ変換回路(３)に供給される。該Ａ／Ｄ変換回路(３)では、前記可変発振回路(６)から供給される可変クロックの周波数で前記再生信号がサンプリングされて多値のデジタルデータＤ１に変換される。該デジタルデータは、補間回路(４)に供給されて、外部から供給される仮想クロック周期情報ＰＨ２が表わす周期で補間処理が施される。尚、補間回路(４)の構成及び動作は、図１８に示す第１位相差算出回路の第２レジスタ(422)及び図１９に示す第２位相差算出回路の第２レジスタ(442)に可変クロックの周期を表わす所定の固定値ＰＨ１が格納されている点を除いて、従来のディスク再生装置と同一である。補間処理によって得られた補間データＤ２は、仮想クロック周期制御回路(５)のゼロクロス抽出回路(51)に供給され、該補間データの中からゼロクロスすべきゼロクロスデータが再生信号のクロック成分との位相誤差情報Δφとして抽出される。抽出された位相誤差情報Δφは積分回路(52)に供給されて積分され、その積分結果がデジタルオシレータ(53)に供給される。デジタルオシレータ(53)は、演算処理上の仮想クロックの周期を管理するものであって、仮想クロックの位相及び周波数が再生信号のクロック成分(チャネルクロック)の位相及び周波数と一致するよう、前記積分結果に応じて仮想クロックの周期を制御する。尚、デジタルオシレータ(53)の構成及び動作は、従来のディスク再生装置と同一である。仮想クロックの周期情報ＰＨ２は、前記補間回路(４)に供給されて補間処理に供される。この様にして、補間回路(４)と仮想クロック周期制御回路(５)とからデジタルＰＬＬ回路が形成される。
上記の補間回路(４)、ゼロクロス抽出回路(51)、積分回路(52)及びデジタルオシレータ(53)には、前記可変発振回路(６)から可変クロックが供給され、該可変クロックに基づいて上記動作が実行される。
【００４１】
上記可変発振回路(６)は、位置センサ(７)の出力に基づいてディスクの中心から再生位置までの半径方向の距離を算出する。尚、ディスクの中心から半径再生位置までの半径方向の距離を算出する方法としては、ディスクに記録されているアドレス情報に基づいて算出する方法等、種々の方法を採用することが可能である。
そして、算出した距離に比例定数を乗算することによって再生信号のクロック成分の周波数を算出した後、再生信号のクロック成分の周波数をｆｃｈ、比例定数をｋ１として、下記数２から可変クロックの周波数を算出する。
【００４２】
(数２)
ｆｓ＝ｋ１・ｆｃｈ
【００４３】
ここで、再生信号のクロック成分の周波数はディスクの偏芯等により数％程度変動するため、上記数２の比例定数ｋ１は１.１〜１.２の値に設定される。
【００４４】
図２は、ディスク(１)の半径方向の再生位置と可変クロックの周波数と仮想クロックの周波数の関係を表わしている。
再生信号のクロック成分の周波数はディスクの中心から再生位置までの半径方向の距離に比例するので、再生信号のクロック成分の周波数と等しくなるよう制御される仮想クロックの周波数は、図中に直線(ａ)で示す如く該距離に比例し、再生位置が外周側である程、高くなる。又、可変クロックの周波数ｆｓは、上記数２から算出されるので、図中に直線(ｂ)で示す如くディスクの中心から再生位置までの半径方向の距離に比例し、再生位置が外周側である程、高くなる。ここで、上記数２の比例定数ｋ１(＝ｆ２／ｆ１)は１.１〜１.２の値に設定されるので、可変クロックの周波数は、ディスク最内周の半径Ｒ１から最外周の半径Ｒ２に亘って仮想クロックの周波数よりも高くなる。尚、図中の直線(ｃ)は従来の固定クロックの周波数の変化を表わしている。
【００４５】
図１に示す可変発振回路(６)では、上述の如く算出された周波数を有する可変クロックが生成され、該可変クロックは前記Ａ／Ｄ変換回路(３)へ供給される。
Ａ／Ｄ変換回路(３)では、可変発振回路(６)から供給された可変クロックの周期でサンプリングデータが得られ、該サンプリングデータが補間回路(４)に供給される。
補間回路(４)では、２つのサンプリングデータＤ１(ｎ)、Ｄ１(ｎ＋１)から補間データＤ２(ｎ)が生成される。ここで、可変クロックの周波数は、上述の如く常に仮想クロックの周波数よりも大きな値に設定されるので、隣接する２つの補間データの間には常に少なくとも１つのサンプリングデータが存在することになり、正常に補間処理が行なわれることになる。
【００４６】
本実施例のディスク再生装置においては、図２に直線(ｂ)で示す如く、可変クロックの周波数をディスクの半径方向の再生位置に応じて変化させるので、線速度一定制御でディスクに記録されている信号を角速度一定制御で再生する場合に、ディスク内周部の再生時に必要以上に高い周波数の可変クロックに基づいてサンプリングが行なわれることはなく、無駄な電力が消費されることを防止することが出来る。
【００４７】
尚、上記実施例においては、可変クロックの周波数を上記数２から算出しているが、可変クロックの周波数ｆｓは、再生信号のクロック成分の周波数ｆｃｈが高くなるにつれて高くなればよく、例えば下記数３から算出することも可能である。
【００４８】
(数３)
ｆｓ＝ｆｃｈ＋ｆｏｆｓ
ｆｏｆｓ＞０：オフセット周波数
【００４９】
第２実施例
第１実施例のディスク再生装置は、ディスクの中心から再生位置までの半径方向の距離から可変クロックの周波数を算出するものであるのに対して、本実施例のディスク再生装置は、ディスクに形成されているトラックのウォブル周期から可変クロックの周波数を算出するものである。
【００５０】
本実施例のディスク再生装置は、図３に示す如く、信号再生時にディスク(１)から得られるウォブル信号に基づいてウォブル周期を検出する周期検出回路(８)と、周期検出回路(８)によって検出されたウォブル周期に応じて周波数が変化する可変クロックを生成してＡ／Ｄ変換回路(３)に供給する可変発振回路(61)とを具えている。その他の構成は、第１実施例と同一であるので、説明を省略する。
【００５１】
ＤＶＤ−Ｒ、ＤＶＤ−ＲＷ、ＤＶＤ−ＲＡＭ等のディスクには、図５に示す如く複数のトラックが形成されており、これら複数のトラックは一定の周期で蛇行(ウォブリング)している。第１実施例と同様に図３に示すＡ／Ｄ変換回路(３)に供給される再生信号は、レーザ光をディスク上のトラックで集光してトレースし、トラック上に形成された情報ピットにより変調されて得られる全ての反射光量の変化を表わす加算信号(ＳＩＧＡ＋ＳＩＧＢ)、所謂ＲＦ信号である。一方、周期検出回路(８)に供給される前記ウォブル信号は、トラックの内周側と外周側でのそれぞれの反射光量の変化の差分信号(ＳＩＧＡ−ＳＩＧＢ)、所謂差動プッシュプル信号であり、該信号からは情報ピットによる変調信号が差分処理によって除去されている。
【００５２】
図４は、上記周期検出回路(８)の構成を表わしており、ディスク(１)から得られるウォブル信号は二値化回路(81)に供給され、図６(ａ)に一点鎖線で示す所定の二値化レベルと比較されて同図(ｂ)に示す二値化信号が生成される。ここで、二値化レベルは、二値化信号を構成する“０”と“１”の値の割合が略等しくなる値に設定される。
生成された二値化信号は周期カウンタ(82)に供給される。又、周期カウンタ(82)には、外部から図６(ｃ)に示す一定周波数の固定クロックが供給され、二値化信号のエッジ間で供給される固定クロックのクロック数が同図(ｄ)の如くカウントされる。そして、そのカウント結果が、同図(ｅ)に示すウォブル周期情報として図３に示す可変発振回路(61)に供給される。
ところで、信号記録時においては、ウォブル周波数の所定倍の周波数のクロックが生成されて、そのクロック周波数で信号が記録されるので、再生信号のクロック成分の周波数はウォブル周波数に比例する。従って、再生信号のクロック成分の周波数と等しくなるよう制御される仮想クロックの周波数は、ウォブル周波数に比例することになる。
そこで、前記可変発振回路(61)は、ウォブル周期の逆数、即ちウォブル周波数に比例定数ｋ２(ｋ２＞１)を乗算することによって可変クロックの周波数を算出する。ここで、比例定数ｋ２は、可変クロックの周波数が仮想クロックの周波数の１.１〜１.２倍となる値に設定される。
【００５３】
図７は、ウォブル周波数と可変クロックの周波数と仮想クロックの周波数の関係を表わしている。
仮想クロックの周波数は、図中に一点鎖線で示す如くウォブル周波数に比例し、ウォブル周波数が高くなるにつれて高くなる。又、可変クロックの周波数は、上述の如くウォブル周波数に比例定数ｋ２を乗算することによって算出されるので、図中に破線で示す如くウォブル周波数に比例し、ウォブル周波数が高くなるにつれて高くなる。ここで、該比例定数ｋ２は、可変クロックの周波数が仮想クロックの周波数の１.１〜１.２倍となる値に設定されるので、可変クロックの周波数は、ウォブル周波数に拘らず、常に仮想クロックの周波数よりも高くなる。
【００５４】
図３に示す可変発振回路(61)では、上述の如く算出された周波数を有する可変クロックが生成され、該可変クロックは前記Ａ／Ｄ変換回路(３)へ供給される。
Ａ／Ｄ変換回路(３)では、可変発振回路(61)から供給された可変クロックの周期でサンプリングデータが得られ、該サンプリングデータが補間回路(４)に供給される。
補間回路(４)では、２つのサンプリングデータＤ１(ｎ)、Ｄ１(ｎ＋１)から補間データＤ２(ｎ)が生成される。ここで、可変クロックの周波数は、上述の如く常に仮想クロックの周波数よりも大きな値に設定されるので、隣接する２つの補間データの間には常に少なくとも１つのサンプリングデータが存在することになり、正常に補間処理が行なわれることになる。
【００５５】
本実施例のディスク再生装置においては、上述の如く可変クロックの周波数をウォブル周波数に応じて変化させるので、線速度一定制御でディスクに記録されている信号を角速度一定制御で再生した場合に、可変クロックの周波数は再生信号のクロック成分の周波数に応じて変化することになる。従って、ディスク内周部の再生時に必要以上に高い周波数の可変クロックに基づいてサンプリングが行なわれることはなく、無駄な電力が消費されることを防止することが出来る。
【００５６】
尚、上記実施例においては、図７に破線で示す如く、可変クロックの周波数をウォブル周波数に応じて連続的に変化させているが、同図に実線で示す如く階段状に変化させることも可能である。可変クロックの周波数を階段状に変化させる構成においては、ＤＶＤ−ＲＡＭ等のようにディスクの半径方向に複数のゾーンが形成されているディスクを再生する場合に、再生位置がゾーン間を移動する時点で可変クロックの周波数を変化させることが望ましい。
【００５７】
又、図８に示す如く、周期検出回路(80)の二値化回路(81)と周期カウンタ(82)との間に分周器(83)を設けて、二値化回路(81)から得られる二値化信号を分周器(83)により分周し、分周後の二値化信号のエッジ間のクロック数を周期カウンタ(82)によりカウントすることも可能である。該構成によれば、高い精度でウォブル周期を検出することが出来る。
【００５８】
第３実施例
第２実施例のディスク再生装置は、ディスクから得られるウォブル信号に基づいてウォブル周期を検出し、その検出結果に基づいて可変クロックの周波数を算出するものであるのに対し、本実施例のディスク再生装置は、ディスクから得られるウォブル信号から可変クロックを生成するものである。
【００５９】
本実施例のディスク再生装置は、図９に示す如く、信号再生時にディスク(１)から得られるウォブル信号から可変クロックを生成してＡ／Ｄ変換回路(３)に供給する可変発振回路(９)を具えている。その他の構成は、第１実施例と同一であるので、説明を省略する。
【００６０】
図１０は、可変発振回路(９)の構成を表わしており、ディスク(１)から得られるウォブル信号は二値化回路(91)に供給され、所定の二値化レベルと比較されて二値化信号が生成される。ここで、二値化レベルは、二値化信号を構成する“０”と“１”の値の割合が略等しくなる値に設定される。
生成された二値化信号は第１分周器(92)に供給されて分周比１／ｍ(ｍ≧１)で分周され、これによって得られるクロックが位相比較器(93)に入力される。又、ＶＣＯ(96)から出力された可変クロックが第２分周器(97)に供給されて分周比１／ｎ(ｎ≧１、且つｎ＞ｍ)で分周され、これによって得られるクロックが前記位相比較器(93)に入力される。位相比較器(93)では、入力された２つのクロックの位相が比較されて位相誤差信号が生成され、チャージポンプ(94)に供給される。チャージポンプ(94)から該位相誤差信号に応じた大きさの電流がループフィルタ(95)に供給され、ループフィルタ(95)によって積分された後、電圧に変換される。ループフィルタ(95)の出力電圧は、前記ＶＣＯ(96)に入力されて、ＶＣＯ(96)の出力周波数が制御される。この様にして、ウォブル信号の１／ｍ倍の周波数とＶＣＯ(96)から出力される可変クロックの１／ｎ倍の周波数とを一致させるフィードバックループが形成され、ＶＣＯ(96)からウォブル信号のｎ／ｍ倍の周波数の可変クロックが出力されることになる。ここで、上述の如く、仮想クロックの周波数はウォブル周波数に比例するので、仮想クロックの周波数に対する可変クロックの周波数の比率は一定となる。そこで、分周比１／ｍ、１／ｎは、該比率が１.１〜１.２となる値に設定される。
【００６１】
ＶＣＯ(96)から出力された可変クロックは、図９に示す前記Ａ／Ｄ変換回路(３)へ供給される。
Ａ／Ｄ変換回路(３)では、可変発振回路(９)から供給された可変クロックの周期でサンプリングデータが得られ、該サンプリングデータが補間回路(４)に供給される。
補間回路(４)では、２つのサンプリングデータＤ１(ｎ)、Ｄ１(ｎ＋１)から直線補間演算によって補間データＤ２(ｎ)が生成される。ここで、上記分周比１／ｍ、１／ｎは、上述の如く仮想クロックの周波数に対する可変クロックの周波数の比率が１.１〜１.２の値となる値に設定されているので、隣接する２つの補間データの間には常に少なくとも１つのサンプリングデータが存在することになり、正常に補間処理が行なわれることになる。
【００６２】
本実施例のディスク再生装置においては、上述の如く、ウォブル信号から該信号の周波数のｎ／ｍ倍の周波数の可変クロックが生成されるので、線速度一定制御でディスクに記録されている信号を角速度一定制御で再生した場合に、可変クロックの周波数は再生信号のクロック成分の周波数に応じて変化することになる。従って、ディスク内周部の再生時に必要以上に高い周波数の可変クロックに基づいてサンプリングが行なわれることはなく、無駄な電力が消費されることを防止することが出来る。
【００６３】
第４実施例
第２実施例のディスク再生装置は、ウォブル信号に基づいて可変クロックの周波数を算出するものであるのに対し、本実施例のディスク再生装置は、再生信号(ＲＦ信号)に基づいて可変クロックの周波数を算出するものである。
【００６４】
本実施例のディスク再生装置は、図１１に示す如く、ディスク(１)から再生された信号(ＲＦ信号)に基づいて該再生信号のクロック成分の周期に応じた周期を検出する周期検出回路(84)と、周期検出回路(84)によって検出された周期に応じて周波数が変化する可変クロックを生成してＡ／Ｄ変換回路(３)に供給する可変発振回路(62)とを具えている。その他の構成は、第１実施例と同一であるので、説明を省略する。
【００６５】
図１２は、上記周期検出回路(84)の構成を表わしており、ディスク(１)から再生された信号は二値化回路(841)に供給され、図１３(ａ)に破線で示す所定の二値化レベルと比較されて同図(ｂ)に示す二値化信号が生成される。ここで、二値化レベルは、二値化信号を構成する“０”と“１”の値の割合が略等しくなる値に設定される。
生成された二値化信号はエッジ間隔検出回路(842)に供給される。又、エッジ間隔検出回路(842)には、外部から図１３(ｃ)に示す一定周波数の固定クロックが供給され、二値化信号のエッジ間で供給される固定クロックのクロック数が同図(ｄ)の如くカウントされる。そして、それらのカウント値が最大値抽出回路(843)に供給される。
【００６６】
ところで、ディスクに記録されている情報には、所定の変調則に従って変調が施されている。例えばＣＤの場合はＥＦＭ、ＤＶＤの場合は８／１６変調、ＨＤ−ＤＶＤの場合はＥＴＭが施されており、変調則によって最大ラン長及び最小ラン長が規定されている。又、最長及び最短のマーク及びスペースの時間幅は再生信号のクロック成分の周波数に応じて変化する。
そこで、前記最大値抽出回路(843)では、供給されたカウント値の中から最大カウント値、即ち最長マーク或いは最長スペースにおけるカウント値が抽出され、抽出された最大カウント値は図１１に示す可変発振回路(62)に供給される。
可変発振回路(62)は、前記最大カウント値に比例定数ｋ３(ｋ３＞１)を乗算することによって可変クロックの周波数を算出する。ここで、比例定数ｋ３は、可変クロックの周波数が最大カウント値から推定される再生信号のクロック成分の周波数の１.１〜１.２倍となる値に設定される。上述の如く、仮想クロックの周波数は再生信号のクロック成分の周波数と等しくなるよう制御されるので、可変クロックの周波数は、常に仮想クロックの周波数の１.１〜１.２倍となる。
【００６７】
可変発振回路(62)では、上述の如く算出された周波数を有する可変クロックが生成され、該可変クロックは前記Ａ／Ｄ変換回路(３)へ供給される。
Ａ／Ｄ変換回路(３)では、可変発振回路(62)から供給された可変クロックの周期でサンプリングデータが得られ、該サンプリングデータが補間回路(４)に供給される。
補間回路(４)では、２つのサンプリングデータＤ１(ｎ)、Ｄ１(ｎ＋１)から直線補間演算によって補間データＤ２(ｎ)が生成される。ここで、可変クロックの周波数は、上述の如く常に仮想クロックの周波数の１.１〜１.２倍となるので、隣接する２つの補間データの間には常に少なくとも１つのサンプリングデータが存在することになり、正常に補間処理が行なわれることになる。
【００６８】
本実施例のディスク再生装置においては、上述の如く、ディスクに形成されている最長マーク或いは最長スペースにおけるカウント値に応じて可変クロックの周波数を変化させるので、線速度一定制御でディスクに記録されている信号を角速度一定制御で再生した場合に、可変クロックの周波数は再生信号のクロック成分の周波数に応じて変化することになる。従って、ディスク内周部の再生時に必要以上に高い周波数の可変クロックに基づいてサンプリングが行なわれることはなく、無駄な電力が消費されることを防止することが出来る。
【００６９】
尚、ＣＤ、ＤＶＤ、ＨＤ−ＤＶＤ等のディスクには、所定の周期で変調則に反する同期パターンが形成されており、この同期パターンの出現間隔をカウンタによってカウントし、そのカウント値から可変クロックの周波数を算出することも可能である。
【００７０】
第５実施例
図１４は、本実施例のディスク再生装置の構成を表わしており、該ディスク再生装置は、図示の如く、可変クロックの周期を表わす固定値ＰＨ１と仮想クロック周期情報ＰＨ２とを比較する値比較回路(10)と、該値比較回路(10)の比較結果と外部から供給される一定値Ｒとの比較結果に応じて周波数が変化する可変クロックを生成してＡ／Ｄ変換回路(３)に供給する可変発振回路(63)とを具えている。前記値比較回路(10)は、可変発振回路(63)から供給される可変クロックに基づいて後述の動作を実行する。その他の構成は、第１実施例と同一であるので、説明を省略する。
【００７１】
前記値比較回路(10)では、可変クロックの周期を表わす前記固定値ＰＨ１に対する仮想クロック周期情報ＰＨ２の比率が算出され、算出された比率ＰＨ２／ＰＨ１は可変発振回路(63)に供給される。可変発振回路(63)では、前記比率ＰＨ２／ＰＨ１が一定値Ｒとなるよう可変クロックの周波数が制御される。ここで、該比率ＰＨ２／ＰＨ１は、可変クロックの周期に対する仮想クロックの周期の比率を表わしており、前記一定値Ｒは１.１〜１.２に設定される。これによって、可変クロックの周波数は、常に仮想クロックの１.１〜１.２倍に設定されることになる。
【００７２】
可変発振回路(63)から得られる可変クロックは前記Ａ／Ｄ変換回路(３)へ供給される。
Ａ／Ｄ変換回路(３)では、可変発振回路(63)から供給された可変クロックの周期でサンプリングデータが得られ、該サンプリングデータが補間回路(４)に供給される。
補間回路(４)では、２つのサンプリングデータＤ１(ｎ)、Ｄ１(ｎ＋１)から直線補間演算によって補間データＤ２(ｎ)が生成される。ここで、可変クロックの周波数は、上述の如く常に仮想クロックの周波数よりも大きな値に設定されるので、隣接する２つの補間データの間には常に少なくとも１つのサンプリングデータが存在することになり、正常に補間処理が行なわれることになる。
【００７３】
上記ディスク再生装置においては、ディスクの最内周に記録されている信号を１倍速で再生している状態での仮想クロックの周波数を１００ＭＨｚ、可変クロックの周波数を仮想クロックの周波数の１.１倍の１１０ＭＨｚであるとすると、この状態から光ピックアップ(２)をディスクの最外周まで移動させる際には、可変クロックの周波数が一旦、ディスクの最外周での仮想クロックの周波数の１.１倍の２７５ＭＨｚに固定される。そして、デジタルＰＬＬ回路による位相同期が確立した後に、上記可変発振回路(63)による周波数制御が開始される。
又、ディスクの最外周に記録されている信号を２.５倍速で再生している状態での仮想クロックの周波数を２５０ＭＨｚ、可変クロック周波数を仮想クロックの周波数の１.１倍の２７５ＭＨｚであるとすると、この状態から光ピックアップ(２)をディスクの最内周まで移動させる際には、可変クロックの周波数が一旦、ディスクの最内周での仮想クロックの周波数の１.１倍の１１０ＭＨｚに固定される。そして、デジタルＰＬＬ回路による位相同期が確立した後に、上記可変発振回路(63)による周波数制御が開始される。
【００７４】
本実施例のディスク再生装置においては、可変クロックの周波数が、該クロックの周期を表わす固定値ＰＨ１に対する仮想クロック周期情報ＰＨ２の比率が一定値Ｒとなるよう制御されるので、線速度一定制御でディスクに記録されている信号を角速度一定制御で再生した場合に、ディスク内周部の再生時に必要以上に高い周波数の可変クロックに基づいてサンプリングが行なわれることはなく、無駄な電力が消費されることを防止することが出来る。
【００７５】
尚、本実施例の可変発振回路(63)及び値比較回路(10)に代えて、図１５に示す如く、仮想クロック周期情報ＰＨ２が可変クロックの周期を表わす上記固定値ＰＨ１の１.１〜１.２倍の一定値となるよう可変クロックの周波数を制御する可変発振回路(64)を設けることも可能である。
【００７６】
又、第１実施例乃至第５実施例において、可変発振回路(６)(61)(９)(62)(63)の応答速度は、デジタルＰＬＬ回路の位相同期ループの応答速度に比べて十分に遅く設定することが望ましい。
【００７７】
又、第１実施例乃至第５実施例においては、生成された複数の補間データからゼロクロスすべきゼロクロスデータを再生信号のクロック成分との位相誤差情報Δφとして抽出する構成を採用しているが、これに限らず、補間データから位相誤差を検出する種々の方法を採用することが可能である。例えば、再生信号の波形によっては、ゼロクロス点の前後の補間データの平均値から位相誤差を検出することが出来る。
【００７８】
更に、第１実施例乃至第５実施例においては、デジタルオシレータ(53)は、仮想クロックの周波数ｆｄｏが再生信号のクロック成分の周波数ｆｃｈと等しくなるよう仮想クロックの周期を制御しているが、仮想クロックの周波数ｆｄｏが下記数４に示す如く再生信号のクロック成分の周波数ｆｃｈのｔ倍となるよう仮想クロックの周期を制御することも可能である。
【００７９】
(数４)
ｆｄｏ＝ｔ・ｆｃｈ
ｔ＞１
【００８０】
仮想クロックの周波数を上記数４から算出する構成においては、Ａ／Ｄ変換回路(３)では、可変クロックの周波数のｔ倍の周波数でサンプリングが行なわれる。或いは、補間回路(４)では、１／ｔ倍の周波数で補間処理が行なわれる。
【図面の簡単な説明】
【００８１】
【図１】第１実施例のディスク再生装置の構成を表わすブロック図である。
【図２】ディスクの半径方向の再生位置と可変クロックの周波数と仮想クロックの周波数の関係を表わすグラフである。
【図３】第２実施例のディスク再生装置の構成を表わすブロック図である。
【図４】上記ディスク再生装置の周期検出回路の具体的構成を表わすブロック図である。
【図５】ディスクに形成されているトラックを表わす図である。
【図６】上記周期検出回路において得られる各種信号の波形図である。
【図７】ウォブル周波数と可変クロックの周波数と仮想クロックの周波数の関係を表わすグラフである。
【図８】上記周期検出回路の変形例を表わすブロック図である。
【図９】第３実施例のディスク再生装置の構成を表わすブロック図である。
【図１０】上記ディスク再生装置の可変発振回路の具体的構成を表わすブロック図である。
【図１１】第４実施例のディスク再生装置の構成を表わすブロック図である。
【図１２】上記ディスク再生装置の周期検出回路の具体的構成を表わすブロック図である。
【図１３】上記周期検出回路において得られる各種信号の波形図である。
【図１４】第５実施例のディスク再生装置の構成を表わすブロック図である。
【図１５】上記ディスク再生装置の変形例を表わすブロック図である。
【図１６】従来のディスク再生装置の構成を表わすブロック図である。
【図１７】補間回路の具体的構成を表わすブロック図である。
【図１８】上記補間回路の第１位相差算出回路の具体的構成を表わすブロック図である。
【図１９】上記補間回路の第２位相差算出回路の具体的構成を表わすブロック図である。
【図２０】位相誤差を求める手順を説明する波形図である。
【図２１】上記補間回路の動作を説明するグラフである。
【符号の説明】
【００８２】
(１)  ディスク
(２)  光ピックアップ
(３)  Ａ／Ｄ変換回路
(４)  補間回路
(５)  可変クロック周期制御回路
(51)  ゼロクロス抽出回路
(52)  積分回路
(53)  デジタルオシレータ
(６)  可変発振回路
【図１】
0004794260.tif 000002
【図２】
0004794260.tif 000003
【図３】
0004794260.tif 000004
【図４】
0004794260.tif 000005
【図５】
0004794260.tif 000006
【図６】
0004794260.tif 000007
【図７】
0004794260.tif 000008
【図８】
0004794260.tif 000009
【図９】
0004794260.tif 000010
【図１０】
0004794260.tif 000011
【図１１】
0004794260.tif 000012
【図１２】
0004794260.tif 000013
【図１３】
0004794260.tif 000014
【図１４】
0004794260.tif 000015
【図１５】
0004794260.tif 000016
【図１６】
0004794260.tif 000017
【図１７】
0004794260.tif 000018
【図１８】
0004794260.tif 000019
【図１９】
0004794260.tif 000020
【図２０】
0004794260.tif 000021
【図２１】
0004794260.tif 000022